(57)【特許請求の範囲】
【請求項１】
ノック操作に伴い前進する係止突起（３）を軸筒（２）の径方向外面に設け、前記係止突起（３）と係合する係止壁部（４２）を備えた玉部（４）をクリップ（２１）の径方向内面に設けたノック式筆記具（１）であって、前記玉部（４）の頂部と前記係止壁部（４２）の下端との間に隙間（Ｓ）を設け、前記玉部（４）の頂部より後面を曲面状又は傾斜面状とすると共に、前記玉部（４）の頂部より後面に前記係止壁部（４２）の係止面の下端を位置させたことを特徴とするノック式筆記具。
【請求項２】
ノック操作に伴い前進する係止突起（３）を軸筒（２）の径方向外面に設け、前記係止突起（３）と係合する係止壁部（４２）を備えた玉部（４）をクリップ（２１）の径方向内面に設けたノック式筆記具（１）であって、前記玉部（４）の頂部と前記係止壁部（４２）の下端との間に隙間（Ｓ）を設け、前記係止壁部（４２）の中央部に軸方向の凹溝（４３）を貫設させたことを特徴とするノック式筆記具。
【発明の詳細な説明】
【０００１】
【発明の属する技術分野】
本発明はノック式筆記具に関する。詳細には、外部からのノック操作によって軸筒内のレフィルを前進させ、該レフィルのペン先を軸筒の先端孔より突出させるノック式筆記具であって、軸筒外面より突出した係止突起が、ノック操作（即ち、レフィルの前進）に伴い前進してクリップの係止壁部と係合し、前記ペン先の突出状態が維持されるノック式筆記具に関する。
【０００２】
尚、本発明で「前」とはペン先側を指し、「後」とはノック操作側を指す。また、本発明で「上」とは径方向外方を指し、「下」とは径方向内方を指す。
【０００３】
【従来の技術】
従来、この種のノック式筆記具において、例えば、実公平４−４４３９２号公報には、軸筒の側面にスリット（本願のスライド孔に相当）を設け、該スリットより外部に突出し且つ該スリットに沿って前進後退する係止突起を設け、該係止突起が係合する係止部（本願の係止壁部に相当）をクリップ内面より突出する玉部に設けた構成が開示されている。
【０００４】
前記公報に開示されたように、通常、クリップの玉部は、軸筒外面とにより被挟持物（例えば、衣類等のポケットや手帳等）を挟持するものであり、被挟持物を玉部と軸筒外面との間にスムーズに挿入できるよう、前記玉部の前面が傾斜面または曲面状となっている。
【０００５】
【発明が解決しようとする課題】
しかし、前記従来のノック式筆記具は、図９（ａ）（ｂ）に示すように、係止部４２ａ（本願の係止壁部の前面）の下端が、玉部４ａの頂部に位置しているため、被挟持物Ｐにクリップ２１ａを挿入する際、前記被挟持物Ｐの端縁が玉部４ａの係止部４２ａ前面（特に係止部４２ａの前面下端の中央部）に当接しがちであり、それにより、クリップの被挟持物Ｐへのスムーズな挿入が阻害されるおそれがある。特に、前記係止部４２ａとの当接は、被挟持物Ｐが、紙等の薄い可撓性のシート状物の場合に生じやすい。
【０００６】
本発明は、前記従来の問題点を解決するものであって、筆記具のクリップを被挟持物Ｐにスムーズに挿入することができるノック式筆記具を提供しようとするものである。
【０００７】
【課題を解決するための手段】
［１］本発明は、ノック操作に伴い前進する係止突起３を軸筒２の径方向外面に設け、前記係止突起３と係合する係止壁部４２を備えた玉部４をクリップ２１の径方向内面に設けたノック式筆記具１であって、玉部４の頂部と係止壁部４２の下端との間に隙間Ｓを設け、前記玉部４の頂部より後面を曲面状又は傾斜面状とすると共に、前記玉部４の頂部より後面に前記係止壁部４２の係止面の下端を位置させたこと（請求項１）を要件する（図１〜図８参照）。
【０００８】
（作用）前記玉部４の頂部（即ち玉部４の最下点）と係止壁部４２の下端（即ち係止壁部４２の最下点）との間に隙間Ｓを設けたことにより、被挟持物Ｐの端縁は、被挟持物Ｐが薄いシート状物であっても、前記隙間Ｓにより、被挟持物Ｐと係止壁部４２との当接が回避され、玉部４の下端を円滑に通り抜けるができる。その結果、被挟持物Ｐへの筆記具のスムーズなクリップ２１差しが可能となる（図３、図７参照）。
【０００９】
【００１０】
（作用）玉部４の後面が曲面状又は傾斜面状である場合、前記玉部４の後面に前記係止壁部４２の前面の下端を配設することにより、自ずと、係止壁部４２下端と玉部４の頂部との間に隙間Ｓが形成される。それにより、筆記具のクリップ２１への被挟持物Ｐのスムーズな挿入が可能となる（図２、図３、図６、図７参照）。
【００１１】
また、玉部４の頂部より後面が、軸方向に対して垂直な面ではなく、曲面状又は傾斜面状であるため、被挟持物Ｐに筆記具のクリップ２１を挿入した後、抜き取る際、前記被挟持物Ｐ（例えば、ポケットの後端縁の折り返し部、又はバインダー手帳等の保持筒の前端縁等）と前記玉部４の後面とが引っ掛かることなしに滑らかに摺動して、被挟持物Ｐから筆記具のクリップ２１をスムーズに抜き取ることができる（図２、図６参照）。
【００１２】
また、前記請求項１の構成により、係止壁部４２の下端がエッジ形状となると共に、係止壁部４２が軸方向に肉薄となる。そのため、係止突起３が係止壁部４２を乗り越える係合ストロークが短くなって、ノック操作性が向上する。
【００１３】
［２］本発明は、ノック操作に伴い前進する係止突起３を軸筒２の径方向外面に設け、前記係止突起３と係合する係止壁部４２を備えた玉部４をクリップ２１の径方向内面に設けたノック式筆記具１であって、前記玉部４の頂部と前記係止壁部４２の下端との間に隙間Ｓを設け、前記係止壁部４２の中央部に軸方向の凹溝４３を貫設させたこと（請求項２）を要件とする。（図５〜図８参照）。
【００１４】
（作用）係止壁部４２の中央部に軸方向の凹溝４３を貫設したことにより、被挟持物Ｐの端縁が当接しがちな係止壁部４２下端の中央部に、凹溝４３（即ち、逃がし空間）が設けられているため、被挟持物Ｐをクリップ２１に挿入させる際、より一層、係止壁部４２前面に被挟持物Ｐ端縁が引っ掛かることが回避される（図６参照）。また、係止壁部４２の中央部に凹溝４３を設けることにより、該凹溝４３の両側には係止壁部４２が形成される。即ち、凹溝４３の両側には係止壁部４２の一部が残っている。
【００１５】
また、係止壁部４２の下端は、玉部４の頂部に位置していてもよいが、頂部の後方に位置すること（即ち、請求項１との組合せ）が、より一層、係止壁部４２と被挟持物Ｐの端縁との当接を回避できる点で好ましい（図５〜図８参照）。
【００１６】
尚、前記凹溝４３は、径方向内方に開口していれば、その横断面形状は、いずれでもよく、例えば、Ｖ字状、Ｕ字状等、適宜である。
【００１７】
【発明の実施の形態】
本発明の実施の形態を図面に従って説明する。
【００１８】
［１］
実施例１
図１〜図４に本発明の第１実施例を示す。本実施例のノック式筆記具１は、内部にレフィルが収容され且つ外面（即ち径方向外面）にクリップを備えた軸筒２と、前記クリップ２１の内面（即ち下面）に突設した玉部と、前記玉部と係合し且つ前記軸筒２の外面より突出する係止突起３と、前記軸筒２の後端より突出するノック部１２とからなる。
【００１９】
・玉部
前記玉部４は、被挟持物Ｐを軸筒２外面とにより挟持するものであり、合成樹脂製のクリップ２１の前部内面に一体成形により突設されている。前記挟持機能を有する玉部４は、曲面状前面（ここでは凸曲面）及び曲面状後面（ここでは凸曲面及び凹曲面）を備え、適宜間隔をおいて軸方向に平行に配設された、略半円板状の二枚の挟持壁部４１よりなる。
【００２０】
・係止壁部
係止壁部４２は、玉部４の挟持壁部４１間の後部に一体に連設されている。前記係止壁部４２は、クリップ２１の内面からの高さが挟持壁部４１の頂部よりも低く設定され、それにより、玉部４の頂部（即ち、挟持壁部４１の頂部）と、係止壁部４２の下端との間に隙間Ｓが形成される。
【００２１】
また、前記係止壁部４２の前面（即ち係止面）は、係止突起３と安定した係合をなすよう、軸線に対して垂直な面より前方に僅かに傾斜した面を有した鉤状となっており、前記係止壁部４２の前面の下端（ここでは係止壁部４２のエッジ状下端）は、玉部４の曲面状の後面に位置している。それにより、玉部４の頂部と係止壁部４２下端との間に隙間Ｓが形成される。また、前記係止壁部４２の後面は、玉部４（即ち挟持壁部４１）の後面と一体に連設され、玉部４後面と同一な曲面状となっている。
また、係止突起の後面（即ち係止面）も、前記係止壁部４２の前面に対応して、軸線に対して垂直な面より後方に僅かに傾斜した面を有した鉤状となっている。
【００２２】
・係止突起
前記係止突起３は、図２に示すように、傾斜面状の前面と、軸線に対して垂直面状の後面（即ち係止面）を備える。クリップ２１内面に対面する軸筒２の側壁には、軸方向のスライド孔２２が設けられ、該スライド孔２２より前記係止突起３が外部に突出している。前記係止突起３は、具体的には、レフィル、ノック部１２、あるいはノック部１２と連動する部材等に設けられる。
【００２３】
また、前記係止突起３の後方には、係止突起３と共に前進後退するガイド突起５が配設されている。前記ガイド突起５は、傾斜面状前面と傾斜面状後面とを備えた山形状の板状突起である。前記ガイド突起５は、被挟持物Ｐから筆記具のクリップ２１を抜き取る際、被挟持物Ｐが衣類の縫合されたポケット等の場合、該ポケット端縁の折り返し部に、前記係止突起３の後面が引っ掛かることを防止するものである。
【００２４】
・係合作用
ノック部１２を前方へ押圧操作をすると、係止突起３が、前方に移動し、玉部４の係止壁部４２後面を乗り越え、係止壁部４２の前面と係合する。これにより、レフィル先端のペン先１１（ここではボールペンペン体）が軸筒２の先端孔２３より突出し、該ペン先突出状態が維持される。
【００２５】
クリップ２１を持ち上げると（例えば、クリップ２１をポケット等に差したり、クリップ２１を直接に持ち上げると）、係止突起３と係止壁部４２の係合状態は解除され、係止突起３は、弾発体等により後方付勢されたレフィルと共に後方に移動する。それと同時に、レフィル先端のペン先１１が軸筒２内に没入する。
【００２６】
【００２７】
【００２８】
【００２９】
【００３０】
【００３１】
［２］
実施例２
図５〜図８に本発明の第２実施例を示す。本実施例は、第１実施例の変形例であり、第１実施例と異なる点は、玉部４の係止壁部４２と、それに対応した係止突起３の態様である。尚、他の構成は、第１実施例と同様である。
【００３２】
・係止壁部
係止壁部４２は、第１実施例同様、玉部４の挟持壁部４１の内面に一体に突設されている。但し、前記第１実施例とは異なり、前記係止壁部４２は、挟持壁部４１の相互間に連接されておらず、その中央部に軸方向の凹溝４３が貫設されている。
【００３３】
・係止突起
本実施例の係止突起３は、第１実施例と異なり、傾斜面状の前面及び傾斜面状の後面を備えた軸方向に延びる一枚の板状突起である。前記係止突起３は、その前部に、前記傾斜面状の前面を備える厚肉部３１が形成され、その後部に、前記傾斜面状の後面を備える薄肉部３２が形成されている。前記厚肉部３１は、前記係止壁部４２の前方の挟持壁部４１間に挿入可能であり、一方、前記薄肉部３２は、前記係止壁部４２の凹溝４３に挿入可能である。さらに、前記係止突起３の両側面（具体的には、前記厚肉部３１と前記薄肉部３２との間の連接部分）には、係止壁部４２前面と係合する肩部３３が形成されている。
【００３４】
尚、本発明において、ペン先１１は、ボールペンペン体の他にも、繊維ペン体、多孔質ペン体、軸方向のインキ導出路を備えたプラスチック押出成形製ペン体、細管ペン体、先端に切り割りを有する板状ペン体（いわゆる万年筆のペン先）、シャープペンシル等、いずれであってもよい。
【００３５】
尚、本発明において、前記クリップ２１の材質は、合成樹脂製の他、金属製でもよい。また、クリップ２１は、軸筒２と固定されていればよく、例えば、軸筒２と一体に形成する構成、あるいは、軸筒２と独立した別部材の取り付けにより形成する構成等、適宜である。
【００３６】
【発明の効果】
本発明ノック式筆記具は、前記請求項１の構成により、筆記具のクリップを被挟持物にスムーズに差し入れることが可能となる。
【００３７】
本発明ノック式筆記具は、前記請求項１の構成により、ノック操作性が向上すると共に、被挟持物とのクリップの挿入及びクリップの抜き取りが、引っ掛かりのないスムーズなものとなる。
【００３８】
本発明ノック式筆記具は、前記請求項２の構成により、より一層、係止壁部と被挟持物端縁との当接を回避でき、筆記具のクリップを被挟持物にスムーズに差し入れることが可能となる。
【図面の簡単な説明】
【図１】本発明の第１実施例を示す要部縦断面図である。
【図２】図１のＫ部拡大図である。
【図３】図１のＢ−Ｂ線拡大矢視図である。
【図４】図１の玉部の拡大斜視図である。
【図５】本発明の第２実施例を示す要部縦断面図である。
【図６】図５のＬ部拡大図である。
【図７】図５のＣ−Ｃ線拡大矢視図である。
【図８】図５の玉部の拡大斜視図である。
【図９】（ａ）は従来の玉部の要部拡大縦断面図、（ｂ）は前記（ａ）のＤ−Ｄ線矢視図である。
【符号の説明】
１ ノック式筆記具
１１ ペン先
１２ ノック部
２ 軸筒
２１ クリップ
２２ スライド孔
２３ 先端孔
３ 係止突起
３１ 厚肉部
３２ 薄肉部
３３ 肩部
４ 玉部
４１ 挟持壁部
４２ 係止壁部
４３ 凹溝
５ ガイド突起
Ｓ 隙間
Ｐ 被挟持物
【図１】
0004149052.tif 000002
【図２】
0004149052.tif 000003
【図３】
0004149052.tif 000004
【図４】
0004149052.tif 000005
【図５】
0004149052.tif 000006
【図６】
0004149052.tif 000007
【図７】
0004149052.tif 000008
【図８】
0004149052.tif 000009
【図９】
0004149052.tif 000010